(57)【要約】【課題】除染対象となるエリアの空間線量率をより細分化して把握することができ、除染作業の効率を更に高めることが可能な空間線量率推定方法および空間線量率表示方法を提供することを目的とする。【解決手段】本発明にかかる空間線量率推定方法の代表的な構成は、指向性放射線検出器１００を用いて特定の測定方向の空間線量率を測定し、熱画像計測装置１１０を用いて指向性放射線検出器と同じ範囲を撮影し、熱画像計測装置で撮影した熱画像のうち温度が低かった場所を線量率が高い場所であると推定することを特徴とする。【選択図】図３
2017181221.tif 000002
【特許請求の範囲】
【請求項１】
指向性放射線検出器を用いて特定の測定方向の空間線量率を測定し、
熱画像計測装置を用いて前記指向性放射線検出器と同じ範囲を撮影し、
前記熱画像計測装置で撮影した熱画像のうち温度が低かった場所を線量率が高い場所であると推定することを特徴とする空間線量率推定方法。
【請求項２】
指向性放射線検出器を用いて特定の測定方向の空間線量率を測定し、
熱画像計測装置を用いて前記指向性放射線検出器と同じ範囲を撮影し、
前記熱画像計測装置で撮影した熱画像に、前記指向性放射線検出器による測定値を付記することを特徴とする空間線量率表示方法。
【発明の詳細な説明】
【技術分野】
【０００１】
本発明は、指向性放射線検出器および熱画像計測装置を用いた空間線量率推定方法および空間線量率表示方法に関する。
【背景技術】
【０００２】
放射能汚染を除染するに際して、汚染の程度や分布を判断するための指標として、放射線の線量率がある。通常の線量率測定では、所定高さ（例えば地表１ｍ）における空間線量率を測定する。効率的に除染を行うためには、放射性物質が堆積している場所（汚染源）を知る必要がある。しかしながら、通常の空間線量率測定ではほぼ全方位からの放射線を検出するため、その付近の線量が高いことが漠然とわかるに留まり、具体的な汚染源の位置がわかりにくい。
【０００３】
そこで、放射線測定器として、指向性をもった放射線検出器が提案されている（特許文献１）。このような指向性を有する放射線検出器を用いれば、任意の方向の線量率を測定することが可能である。したがって、測定方向を変えて測定することにより、特定の方向からの空間線量率を評価することができる。
【０００４】
しかしながら、指向性をもった放射線検出器を用いた場合、当然ながら検知角度の範囲内の放射線量しか測定することができない。すると複数の方向の放射線量を測定したとしても、まばらであれば空間線量率に影響の大きい方向の測定を省いてしまう可能性がある。一方、測定方向を過密にすると、測定範囲が重複するため作業に時間がかかり、また各測定方向からの空間線量率成分の総和がその場の空間線量率に一致しないという問題がある。
【０００５】
そこで特許文献２では、指向性放射線検出器を用いて検知角度ごとに切り替えて複数の測定方向の空間線量率を測定する空間線量率測定方法が開示されている。これによれば、検知角度ごとに測定方向を切り替えることから、ある測定位置から全方位を極力もれなく、かつ重複なく測定することができる。また特許文献２の技術によれば、空間線量率を測定した位置から各測定方向の画像を撮影し、指向性放射線検出器の検知角度と同じ画角の画像を測定方向に応じて配列して表示することにより、どの場所からどの程度の放射線を受けているかを一見してわかりやすく表示することも可能である。
【先行技術文献】
【特許文献】
【０００６】
【特許文献１】特開２００２−２１４３５３号公報
【特許文献２】特願２０１４−００１１０３
【発明の概要】
【発明が解決しようとする課題】
【０００７】
特許文献２の空間線量率測定方法によれば、各測定方向の画像を参照することにより、その方向における空間線量率を把握し、除染作業を検討する際の指標とすることができる。例えば、各測定方向の画像のうち、空間線量率が高かった画像に対応するエリアを除染対象として特定することができる。
【０００８】
しかしながら、特許文献２の方法であると、画像に写っているエリア（指向性放射線検出器の測定範囲）を除染対象となるエリアとして特定することはできるものの、その画像に写っているエリアのうち、どの場所の空間線量率が高かったのかを特定することはできない。このため、画像に写っているエリア全体の除染作業を行う必要がある。画像に写っているエリアは、検知方向を真下に向ければ狭くなるが、水平線に向かって起こすほどに急激に広くなる。したがって、特許文献２の技術であると、従来よりは効率的に除染対象のエリアを特定できるものの、作業効率をより高めることができるよう改善が求められていた。
【０００９】
本発明は、上記課題に鑑み、除染対象となるエリアの空間線量率をより細分化して把握することができ、除染作業の効率を更に高めることが可能な空間線量率推定方法および空間線量率表示方法を提供することを目的とする。
【課題を解決するための手段】
【００１０】
上記課題を解決するために、本発明にかかる空間線量率推定方法の代表的な構成は、指向性放射線検出器を用いて特定の測定方向の空間線量率を測定し、熱画像計測装置を用いて指向性放射線検出器と同じ範囲を撮影し、熱画像計測装置で撮影した熱画像のうち温度が低かった場所を線量率が高い場所であると推定することを特徴とする。
【００１１】
発明者は、まず地形が異なる様々なエリアの空間線量率を測定したところ、周囲よりも低い場所のほうが空間線量率が高い傾向があることがわかった。このことから、周囲より高い場所の放射性汚染物質が雨等によって低い場所に流されることにより、低い場所のほうが空間線量率が高くなるのではないかと推察した。そして、雨水等が滞留する場所は、たとえ乾いていても高い場所よりも温度が低いことに着目し、本発明に想到するに至った。
【００１２】
すなわち上記構成によれば、特定の測定方向の空間線量率を測定するとともに、同じ範囲の熱画像を測定することにより、空間線量率を測定したエリアにおける温度分布を取得する。これにより、かかるエリアにおいて温度が低かった場所を、空間線量率の高い場所として推定することができる。したがって、除染対象となるエリアの空間線量率をより細分化して把握することができ、除染作業の効率を更に高めることが可能である。
【００１３】
上記課題を解決するために、本発明にかかる空間線量率表示方法の代表的な構成は、指向性放射線検出器を用いて特定の測定方向の空間線量率を測定し、熱画像計測装置を用いて指向性放射線検出器と同じ範囲を撮影し、熱画像計測装置で撮影した熱画像に、指向性放射線検出器による測定値を付記することを特徴とする。
【００１４】
上述した空間線量率推定方法における技術的思想に対応する構成要素やその説明は、当該空間線量率表示方法にも適用可能である。また、かかる構成によれば、熱画像を目視することにより、空間線量率を確認することができる。これにより、除染対象のエリアのうち、除染が必要な場所をより正確に判断することが可能となる。
【発明の効果】
【００１５】
本発明は、上記課題に鑑み、除染対象となるエリアの空間線量率をより細分化して把握することができ、除染作業の効率を更に高めることが可能な空間線量率推定方法および空間線量率表示方法を提供することを目的とする。
【図面の簡単な説明】
【００１６】
【図１】本実施形態にかかる空間線量率推定方法を説明する図である。
【図２】空間線量率の表示について説明する図である。
【図３】本実施形態にかかる空間線量率表示方法を説明する図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本実施形態にかかる空間線量率推定方法を説明する図である。図１（ａ）は、指向性放射線検出器の評価範囲を説明する図であり、図１（ｂ）は地表の評価面を説明する図である。なお、本実施形態では、まず空間線量率推定方法について説明した後に、空間線量率表示方法について説明する。
【００１９】
本実施形態の空間線量率推定方法では、図１（ａ）に示す指向性放射線検出器１００を使用する。指向性放射線検出器１００とは、測定方向を中心として所定の検知角度αの範囲内の放射線を特に検知することができる放射線検出器である。指向性放射線検出器１００を用いて全方位の放射線を効率的に、かつ精度よく評価するためには、いかに全方位をもれなく、かつ重複なく測定するかが重要となる。
【００２０】
そこで本実施形態においては、指向性放射線検出器１００を用いて、特定の測定方向の空間線量率を測定する。図１（ｂ）では、指向性放射線検出器１００の検出角度を切り替えながら、８つの測定方向でエリア１０２ａ〜１０２ｈの空間線量率を測定することにより、指向性放射線検出器１００の周囲の水平方向の空間線量率を測定している。これにより、隣接する測定範囲との隙間をなくし、かつ重複なく最小限の回数で測定することができる。
【００２１】
更に本実施形態では、熱画像計測装置１１０を用いて、指向性放射線検出器１００において空間線量率を測定した範囲と同じ範囲の熱画像を撮影する。すなわち８つの測定方向でエリア１０２ａ〜１０２ｈの熱画像を撮影する。これにより、エリア１０２ａ〜１０２ｈにおける熱分布を取得することができる。
【００２２】
特に本実施形態では、図１（ｂ）に示すように、指向性放射線検出器１００と熱画像計測装置１１０は同一の三脚１２０を用いて同じ位置に固定し、測定および撮影を行っている。これにより、空間線量率と熱画像を同じ角度で測定することができる。したがって、角度のずれが生じることがなく、データの信頼性を高めることが可能である。
【００２３】
なお、熱画像計測装置１１０では、熱画像に加えて可視光画像を撮影することも可能である。したがって、熱画像を撮影する際には、それと同時に可視光画像を撮影しておくとよい。また可視光画像は必ずしも熱画像計測装置によって撮影しなければならないものではなく、指向性放射線検出器１００および熱画像計測装置１１０に加えて可視光カメラを追加する構成とすることも可能である。
【００２４】
図２は、空間線量率の表示について説明する図である。図２では、図１（ｂ）に示すエリア１０２ａ〜１０２ｈにおいて測定した空間線量率を、熱画像計測装置１１０において熱画像と併せて撮影したエリア１０２ａ〜１０２ｈの可視光画像に付記して表示している。図１（ｂ）に示すように、エリア１０２ａ〜１０２ｈの可視光画像を横方向に連続して表示することにより、エリア１０２ａ〜１０２ｈの可視光画像が１枚のパノラマ写真のように表示される。
【００２５】
そして、かかる可視光画像に付加されている空間線量率の値（エリア１０２ａであれば０．０４μＳｖ/ｈ）を確認することにより、指向性放射線検出器１００および熱画像計測装置１１０の周囲のうち、どのエリアが空間線量率が高いのかを把握することができる。このとき、特に本実施形態のように可視光画像に空間線量率を付記していることにより、空間線量率が高いエリアがどのエリアなのかを直感的に把握することが可能となる。
【００２６】
すなわち上述したように指向性放射線検出器１００および熱画像計測装置１１０の周囲の空間を複数の方向に分割し、それぞれの方向で空間線量率を測定することにより、かかる周囲の空間のうち、空間線量率が高いエリアを大まかに特定することができる。しかしながら、この段階では、空間線量率が高いエリアのうち、どの場所が特に空間線量率が高いかを判断することができない。このため、除染作業の対象はそのエリア全体となってしまう。
【００２７】
そこで本実施形態の空間線量率推定方法では、空間線量率が高かったエリアの熱画像の熱分布を参照する。例えば図２に示す例では、エリア１０２ｄが最も空間線量率が高いため、その熱画像を参照する。そして、熱画像計測装置１１０で撮影した熱画像のうち温度が低かった場所を線量率が高い場所であると推定する。
【００２８】
図３は、本実施形態にかかる空間線量率表示方法を説明する図である。図３（ａ）は草むらの可視光画像を例示していて、図２において説明した可視光画像に空間線量率を付記した画像である。図３（ｂ）は草むらの熱画像を例示していて、図３（ａ）の可視光画像のエリアに対応する熱画像である。なお、図３（ｂ）の四角外に示している数値は、本実施形態の空間線量率測定方法の効果を検証するために、発明者が実際に放射線検出器を用いて測定したポイントの１ｃｍ高さの空間線量率である。
【００２９】
図３（ａ）の草むらでは、図３（ｂ）に示すように、色が濃い場所（温度が低い場所）は、熱画像において色が薄い場所（温度が高い場所）よりも空間線量率が高い。このことから、空間線量率と温度との間に相関があることがわかる。また図３（ｂ）に示すように、本実施形態の空間線量率表示方法では、熱画像に、指向性放射線検出器１００による測定値を付記している。これにより、指向性放射線検出器によって測定した空間線量率を再確認することなく、熱画像のみを参照することで熱分布と空間線量率とを同時に確認することができる。
【００３０】
図３（ｃ）はマンホールの可視光画像を例示している。図３（ｄ）は、図３（ｃ）の可視光画像のエリアの一部を拡大した熱画像であり、実際に放射線検出器を用いて測定したポイントの１ｃｍ高さの空間線量率を四角外に示している。図３（ａ）および（ｂ）に示すような草むらだけではなく、図３（ｄ）に示すようなマンホールにおいても、色が濃い場所（温度が低い場所）は、熱画像において色が薄い場所（温度が高い場所）よりも空間線量率が高い。このことから、本実施形態の空間線量率推定方法は、地表面の状態にかかわらず適用可能であることがわかる。
【００３１】
すなわち本発明は、空間線量率が高い場所は水が流れる場所であり、水が流れる場所は乾いていても温度が低いことに着目している。もちろん従来から水が流れる場所の空間線量率が高いことは知られていて、雨樋の下や道路の側溝、グラウンドや山肌の低くなっている場所などは空間線量率が高い場所の代表例である。しかし実際の目視では、高低が判りにくく、部分的な高低は判っても実際に水がどこを通って流れるのか判然としない場合も多い。しかし熱画像によって温度分布を取得すると、実際に水が流れる場所が低い温度として認識される。このことから、目視や経験則だけからでは判らない水が流れる場所、すなわち空間線量率が高い場所を知ることが可能となる。
【００３２】
上記説明したように本実施形態の空間線量率推定方法によれば、まず指向性放射線検出器１００によって測定した空間線量率を参照することにより、除染対象とするエリアを判断することができる。そして、熱画像計測装置１１０によって撮影した熱画像を参照することにより、除染対象としたエリアのうち、特に空間線量率が高い場所を推定することができる。これにより、除染対象となるエリアの空間線量率をより細分化して把握することができ、除染作業の効率を更に高めることが可能である。
【００３３】
なお、本実施形態の図２では、可視光画像に空間線量率を付記する構成を例示したが、これに限定するものではなく、熱画像計測装置１１０において撮影した熱画像に空間線量率を付記して連続して表示することも可能である。また可視光画像を撮影せずに、空間線量率と熱画像とをエリアの識別番号等によって関連付けて記憶する構成とすることも可能である。
【００３４】
また上述したように、図３（ｂ）および（ｄ）において枠外に示した数値は、本発明の効果を確認するために、実際に放射線検出器を用いて測定したポイントの１ｃｍ高さの空間線量率である。これに対し、図３（ａ）〜（ｄ）の枠内の中央に示している数値は、指向性放射線検出器１００によって地表面から離れた位置から測定した空間線量率であるため、実際には距離減衰が生じる。したがって、実際には、１ｃｍ高さで測定した空間線量率と同程度の値になるわけではない。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、指向性放射線検出器および熱画像計測装置を用いた空間線量率推定方法および空間線量率表示方法として利用することができる。
【符号の説明】
【００３７】
１００…指向性放射線検出器、１０２ａ〜１０２ｈ…エリア、１１０…熱画像計測装置、１２０…三脚
【図１】
2017181221.tif 000003
【図２】
2017181221.tif 000004
【図３】
2017181221.tif 000005